(57)【要約】  映像が表示されるまでに時間がかかるという問題を解決することが可能なプロジェクタ装置を提供する。  カラーホイール２は、所定の回転軸を中心に回転することで、光源１からの光を複数の色の光に時分割する。駆動部３は、カラーホイール２を、映像信号の垂直同期信号に同期するように回転させる。カラーホイール管理部４は、カラーホイール２が映像信号の垂直同期信号と同期しているか否かを判断する。輝度分布検出部５は、映像信号の輝度分布を検出する。制御部６は、輝度分布検出部５が検出した輝度分布と、カラーホイール管理部４の判断結果とに基づいて、映像信号に応じた映像を表示するか否かを判断する。制御部６が映像を表示すると判断すると、映像表示部７は、カラーホイール２で時分割された複数の色の光を映像信号に応じた映像に変換して表示する。
2010084605.tif 000002
【特許請求の範囲】
【請求項１】
光源と、
所定の回転軸を中心に回転することで、前記光源からの光を複数の色の光のそれぞれに時分割するためのカラーホイールと、
前記カラーホイールを、入力映像信号の垂直同期信号に同期するように回転させる駆動手段と、
前記カラーホイールが前記垂直同期信号と同期しているか否かを判断する判断手段と、
前記入力映像信号の輝度分布を検出する輝度検出手段と、
前記輝度検出手段が検出した輝度分布と、前記判断手段の判断結果とに基づいて、前記入力映像信号に応じた映像を表示するか否かを判断する制御手段と、
前記制御手段にて前記映像を表示すると判断された場合、前記カラーホイールにて時分割された光を、前記映像に変換して表示する映像表示手段と、を有するプロジェクタ装置。
【請求項２】
請求の範囲第１項に記載のプロジェクタ装置において、
前記制御手段は、前記判断手段にて前記カラーホイールが前記垂直同期信号と同期していないと判断された場合、前記輝度分布に予め定められた閾値以上の輝度があるか否かを判断し、前記輝度分布に前記閾値以上の輝度がないと、前記映像を表示すると判断する、プロジェクタ装置。
【請求項３】
請求の範囲第２項に記載のプロジェクタ装置において、
前記判断手段は、前記カラーホイールの回転周期を求め、該回転周期が前記垂直同期信号に応じて定められる周期範囲に含まれるか否かを判断し、前記回転周期が前記周期範囲に含まれると判断すると、前記カラーホイールが前記垂直同期信号と同期しているか否かを判断し、
前記制御手段は、前記判断手段にて前記回転周期が前記周期範囲に含まれないと判断された場合、前記輝度分布に予め定められた所定値以上の輝度があるか否かを判断し、前記輝度分布に前記所定値以上の輝度がないと、前記映像を表示すると判断する、プロジェクタ装置。
【請求項４】
請求の範囲第３項に記載のプロジェクタ装置において、
前記閾値は、前記所定値より大きい、プロジェクタ装置。
【請求項５】
光源と、所定の回転軸を中心に回転することで前記光源からの光を複数の色の光のそれぞれに時分割するためのカラーホイールと、を有するプロジェクタ装置による映像表示方法であって、
前記カラーホイールを、入力映像信号の垂直同期信号に同期するように回転させ、
前記カラーホイールが前記垂直同期信号と同期しているか否かを判断し、
前記入力映像信号の輝度分布を検出し、
前記検出されたた輝度分布と、前記カラーホイールが前記垂直同期信号と同期しているか否かの判断結果と、に基づいて、前記入力映像信号に応じた映像を表示するか否かを判断し、
前記映像を表示すると判断された場合、前記カラーホイールにて時分割された光を、前記映像に変換して表示する、映像表示方法。
【発明の詳細な説明】
【技術分野】
【０００１】
本発明は、カラーホイールを用いたプロジェクタ装置および映像表示方法に関する。
【背景技術】
【０００２】
プロジェクタ装置において、映像をカラーで表示するために、カラーホイールを用いたものがある。カラーホイールでは、円盤状の基板に複数の色のそれぞれの波長を透過する複数のフィルタが設けられている。【０００３】
カラーホイールを用いたプロジェクタ装置は、このカラーホイールを高速に回転させ、その回転しているカラーホイールに白色光を照射する。そして、プロジェクタ装置は、そのカラーホイールを透過した光を表示パネルで反射させてスクリーンに出射する。これにより、映像をカラーで表示することが可能になっている。【０００４】
ここで、プロジェクタ装置は、カラーホイールを映像信号の垂直同期信号に同期させて回転させる必要がある。例えば、プロジェクタ装置は、カラーホイールの回転速度が垂直同期信号の周波数の定数倍になるように、カラーホイールを回転させる必要がある。【０００５】
カラーホイールが垂直同期信号と同期していないと、映像信号が示す映像と異なる色の映像が表示されることになり、映像が乱れる。【０００６】
このため、映像信号が切り替り、垂直同期信号の周波数が変化すると、プロジェクタ装置は、カラーホイールの回転速度などを調整して、カラーホイールを切り替え後の映像信号の垂直同期信号と同期させる必要がある。【０００７】
このように、映像信号が切り替わったときに、カラーホイールを切り替え後の映像信号の垂直同期信号と同期させる技術には、例えば、特許文献１に記載の画像表示装置がある。
【特許文献１】特開２００５−７９７９５号公報
【発明の開示】
【発明が解決しようとする課題】
【０００８】
カラーホイールが垂直同期信号との同期が確立するまでには時間がかかる。このため、映像信号が切り替わると、カラーホイールと垂直同期信号との同期が確立するまで、映像が乱れる。【０００９】
このような映像の乱れをユーザに見せないようにするために、プロジェクタ装置は、カラーホイールが垂直同期信号と同期するまで映像の表示を停止することで、映像の乱れをユーザに見せないようにしている。【００１０】
しかしながら、このようなプロジェクタ装置では、映像信号が入力されてから、映像が表示されるまでにある程度の時間がかかるという問題があった。なお、この映像が表示されるまでに時間がかかるという問題は、プロジェクタ装置が起動され、映像信号が始めに入力されるときでも生じる。【００１１】
本発明の目的は、上記の課題である、映像が表示されるまでに時間がかかるという問題を解決することが可能なプロジェクタ装置および映像表示方法を提供することである。
【課題を解決するための手段】
【００１２】
本発明によるプロジェクタ装置は、光源と、所定の回転軸を中心に回転することで、前記光源からの光を複数の色の光のそれぞれに時分割するためのカラーホイールと、前記カラーホイールを、入力映像信号の垂直同期信号に同期するように回転させる駆動手段と、前記カラーホイールが前記垂直同期信号と同期しているか否かを判断する判断手段と、前記入力映像信号の輝度分布を検出する輝度検出手段と、前記輝度検出手段が検出した輝度分布と、前記判断手段の判断結果とに基づいて、前記入力映像信号に応じた映像を表示するか否かを判断する制御手段と、前記制御手段にて前記映像を表示すると判断された場合、前記カラーホイールにて時分割された光を、前記映像に変換して表示する映像表示手段と、を有する。【００１３】
本発明による映像表示方法は、光源と、所定の回転軸を中心に回転することで前記光源からの光を複数の色の光のそれぞれに時分割するためのカラーホイールと、を有するプロジェクタ装置による映像表示方法であって、前記カラーホイールを、入力映像信号の垂直同期信号に同期するように回転させ、前記カラーホイールが前記垂直同期信号と同期しているか否かを判断し、前記入力映像信号の輝度分布を検出し、前記検出されたた輝度分布と、前記カラーホイールが前記垂直同期信号と同期しているか否かの判断結果と、に基づいて、前記入力映像信号に応じた映像を表示するか否かを判断し、前記映像を表示すると判断された場合、前記カラーホイールにて時分割された光を、前記映像に変換して表示する。
【発明の効果】
【００１４】
本発明によれば、映像を迅速に表示することが可能になる。
【図面の簡単な説明】
【００１５】
【図１】本発明の第一の実施形態のプロジェクタ装置の構成を示したブロック図である。
【図２】本発明の第一の実施形態のプロジェクタ装置の動作例を説明するためのフローチャートである。
【図３】本発明の第二の実施形態のプロジェクタ装置の構成を示したブロック図である。
【図４】輝度分布の一例を示した説明図である。
【図５】輝度分布の他の例を示した説明図である。
【図６】本発明の第二の実施形態のプロジェクタ装置の動作例を説明するためのフローチャートである。
【発明を実施するための最良の形態】
【００１６】
以下、本発明の実施形態について図面を参照して説明する。【００１７】
図１は、本発明の第一の実施形態のプロジェクタ装置の構成を示したブロック図である。図１において、プロジェクタ装置は、光源１と、カラーホイール２と、駆動部３と、カラーホイール管理部４と、輝度分布検出部５と、制御部６と、映像表示部７とを有する。【００１８】
光源１は、例えば、ＬＥＤ（light-emitting  diode）である。なお、光源１が発光する光は、白色であることが望ましい。【００１９】
カラーホイール２は、光源１からの光の光路上に配置される。また、カラーホイール２は、所定の回転軸を中心に回転可能な円盤状の基板を有し、その基板には、複数の色の光のそれぞれを透過する複数のフィルタが設けられている。基板には、例えば、赤色、緑色および青色のそれぞれに対応する３つのフィルタが設けられていてもよいし、赤色、緑色、青色および黄色のそれぞれに対応する４つのフィルタが設けられていてもよい。【００２０】
なお、所定の回転軸は、例えば、カラーホイール２の中心点を通り、基板に垂直な軸である。【００２１】
これにより、カラーホイール２は、所定の回転軸を中心に回転すると、光源１からの光のうちフィルタのそれぞれに対応する色の光が順番に透過されていくので、光源１からの光を複数の色の光に時分割することができる。【００２２】
駆動部３は、例えば、モータである。駆動部３は、カラーホイール２を所定の回転軸を中心に回転させる。【００２３】
カラーホイール管理部４は、判断手段の一例である。カラーホイール管理部４は、カラーホイール２が映像信号の垂直同期信号と同期するように駆動部３を駆動させる。これにより、駆動部３は、カラーホイール２を、映像信号の垂直同期信号に同期するように回転させることになる。【００２４】
また、カラーホイール管理部４は、カラーホイール２が映像信号の垂直同期信号と同期しているか否かを判断する。【００２５】
輝度分布検出部５は、映像信号の輝度分布を検出する。なお、輝度分布は、映像信号の各輝度とその輝度を表わす画素数との対応を示す。
なお、輝度分布は、映像信号の輝度（輝度レベル）ごとの画面上の占有率を表わす。【００２６】
制御部６は、輝度分布検出部５が検出した輝度分布と、カラーホイール管理部４の判断結果とに基づいて、映像信号に応じた映像を表示するか否かを判断する。【００２７】
制御部６が映像を表示すると判断すると、映像表示部７は、カラーホイール２で時分割された複数の色の光を、映像信号に応じて反射することで、その複数の色の光を映像信号に応じた映像に変換して表示する。これにより、制御部６が映像を表示すると判断した場合に、映像をカラーで表示することが可能になる。【００２８】
次に動作を説明する。【００２９】
図２は、本実施形態におけるプロジェクタ装置の動作例を説明するためのフローチャートである。【００３０】
ステップＳ１０１では、制御部６に映像信号が入力される。なお、垂直同期信号は、その映像信号に含まれていてもよいし、映像信号とは別に制御部６に入力されてもよい。以下では、垂直同期信号は映像信号に含まれているものとする。【００３１】
制御部６は、その入力された映像信号の垂直同期信号の周波数を検出する。その後、ステップＳ１０２が実行される。【００３２】
ステップＳ１０２では、制御部６は、その検出した周波数に応じたカラーホイール２の回転速度を求める。例えば、制御部６は、その検出した周波数をＮ倍して回転速度を求める。なお、Ｎは、１以上の整数である。【００３３】
その求めた回転速度と同じ値の回転速度がカラーホイール管理部４に設定されていれば、制御部６は処理を終了する。【００３４】
一方、その回転速度と異なる値の回転速度がカラーホイール管理部４に設定されているか、回転速度がカラーホイール管理部４に設定されていない場合、制御部６は、その求めた回転速度をカラーホイール管理部４に設定するとともに、垂直同期信号をカラーホイール管理部４に出力する。また、制御部６は、映像表示部７による映像の表示を停止する。【００３５】
これにより、プロジェクタ装置に映像信号の入力が開始された場合や、プロジェクタ装置に入力されている映像信号の垂直同期信号の周波数が切り替わった場合などに、乱れた映像が表示されることを抑制することとなる。【００３６】
カラーホイール管理部４は、垂直同期信号を受け付けると、ステップＳ１０３を実行する。【００３７】
ステップＳ１０３では、カラーホイール管理部４は、カラーホイール２の回転位相を検出し、その検出した回転位相と、その設定された回転速度と、その受け付けた垂直同期信号とに基づいて、カラーホイール２が垂直同期信号と同期するのに適切な駆動信号を駆動部３に出力する。駆動部３は、その駆動信号を受け付けると、その駆動信号に応じてカラーホイール２を回転させる。【００３８】
また、カラーホイール管理部４は、駆動信号を出力すると、ステップＳ１０４を実行する。【００３９】
ステップＳ１０４では、カラーホイール管理部４は、カラーホイール２の回転位相を検出し、その基づいて、カラーホイール２が垂直同期信号に同期しているか否かを判断する。そして、カラーホイール管理部４は、その判断結果を制御部６に出力する。制御部６は、その判断結果を受け付けると、ステップＳ１０５を実行する。【００４０】
ステップＳ１０５では、制御部６は、輝度分布検出部５から輝度分布を受け付け、その輝度分布および判断結果に基づいて、映像を表示するか否かを判断する。制御部６は、映像を表示しないと判断すると、ステップＳ１０６を実行し、映像を表示すると、判断すると、ステップＳ１０７を実行する。なお、輝度分布検出部５にも映像信号が入力され、輝度分布検出部５は、その映像信号の輝度分布を検出し、その輝度分布を制御部６に出力している。【００４１】
ステップＳ１０６では、制御部６は、予め定められた一定時間だけ待機し、その後、カラーホイール２と垂直同期信号との同期を確認する旨をカラーホイール管理部４に出力する。カラーホイール管理部４は、その旨を受け付けると、ステップＳ１０４を実行する。【００４２】
一方、ステップＳ１０７では、制御部６は、映像を表示する旨の表示指示と、映像信号とを映像表示部７に出力する。映像表示部７は、その映像信号および表示指示を受け付けると、カラーホイール２で時分割された複数の色の光を、その映像信号に応じて反射することで、その複数の色の光を映像信号に応じた映像に変換して表示する。【００４３】
次に効果を説明する。【００４４】
カラーホイール２は、所定の回転軸を中心に回転することで、光源１からの光を複数の色の光に時分割する。駆動部３は、カラーホイール２を、映像信号の垂直同期信号に同期するように回転させる。カラーホイール管理部４は、カラーホイール２が映像信号の垂直同期信号と同期しているか否かを判断する。輝度分布検出部５は、映像信号の輝度分布を検出する。制御部６は、輝度分布検出部５が検出した輝度分布と、カラーホイール管理部４の判断結果とに基づいて、映像信号に応じた映像を表示するか否かを判断する。制御部６が映像を表示すると判断すると、映像表示部７は、カラーホイール２で時分割された複数の色の光を映像信号に応じた映像に変換して表示する。【００４５】
これにより、映像信号の輝度分布と、カラーホイール２と垂直同期信号とが同期しているか否かの判断結果とに基づいて、映像が表示されるか否かが判断される。このため、例えば、映像の輝度が低い場合、カラーホイール２が垂直同期信号と同期する前でもその映像を表示することが可能になる。このとき映像が乱れていても、その映像の輝度が低いので、ユーザはその映像の乱れを認識することが困難である。したがって、映像が乱れていることがユーザに認識されない場合、映像を迅速に表示することが可能になる。【００４６】
次に第二の実施形態について説明する。【００４７】
図３は、本実施形態のプロジェクタ装置の構成を示したブロック図である。なお、図３において、図１で示したものと同じ機能を有する構成には同じ符号を付け、その説明を省略する場合がある。【００４８】
図３において、プロジェクタ装置は、図１で示した構成に加えて、入力信号処理部８をさらに有する。また、カラーホイール管理部４は、カラーホイールセンサ１１と、カラーホイール制御部１２とを有する。さらに、映像表示部７は、表示パネル２１と、表示パネル制御部２２とを有する。【００４９】
入力信号処理部８には、映像信号が入力される。入力信号処理部８は、その映像信号を解像度変換し、その解像度変換した映像信号を、その映像信号の垂直同期信号と同期させて輝度分布検出部５および制御部６に入力する。【００５０】
カラーホイールセンサ１１は、例えば、フォトインタラプタまたはフォトリフレクタであり、カラーホイール２の回転位相を検出する。【００５１】
カラーホイール制御部１２は、定期的に、カラーホイールセンサ１１が検出した回転位相に基づいて、カラーホイール２の回転周期を求める。具体的には、カラーホイール制御部１２は、その回転位相が元に戻るまでの時間を回転周期として求める。【００５２】
カラーホイール制御部１２は、その回転周期が、自己（カラーホイール制御部１２）に設定されている回転速度に応じて定められる周期範囲に含まれるか否かを判断する。なお、回転速度は垂直同期信号の周波数に応じて定められるので、周期範囲は垂直同期信号の周波数に応じて定められることになる。また、周期範囲は、カラーホイール２が垂直同期信号と同期しているとみなせるときの回転周期の範囲である。【００５３】
また、カラーホイール制御部１２は、その回転位相に基づいて、カラーホイール２が垂直同期信号と同期しているか否かを判断する。具体的には、カラーホイール制御部１２は、その回転位相が所定位置となるタイミングと、垂直同期信号が開始位置となるタイミングが同時とみなせるか否かを判断し、それらのタイミングが同時とみなせると、カラーホイール２が垂直同期信号と同期していると判断する。【００５４】
表示パネル２１は、例えば、ＤＭＤ（Digital  Micromirror  Device）である。表示パネル２１は、カラーホイール２で時分割された複数の色の光を、映像信号に応じて反射することで、その光を映像信号に応じた映像に変換して表示する。【００５５】
表示パネル制御部２２は、表示パネル２１による映像の表示を制御する。【００５６】
具体的には、制御部６にて映像を表示すると判断された場合、表示パネル制御部２２は、映像信号を表示パネル２１に出力して、その映像信号に応じた映像を表示パネル２１に表示させる。また、制御部６にて映像を表示しないと判断された場合、表示パネル制御部２２は、例えば、表示パネル２１であるＤＭＤの全てのミラーをオフにするなどして、表示パネル２１による映像の表示を停止させる。【００５７】
カラーホイール制御部１２にて回転周期が周期範囲に含まれないと判断された場合、制御部６は、輝度分布検出部５が検出した輝度分布に予め定められた所定値Ｙｔ０以上の輝度があるか否かを判断する。【００５８】
また、カラーホイール制御部１２にてカラーホイール２が垂直同期信号と同期していないと判断された場合、制御部６は、輝度分布検出部５が検出した輝度分布に予め定められた閾値Ｙｔ１以上の輝度があるか否かを判断する。なお、閾値Ｙｔ１は、所定値Ｙｔ０より大きいことが望ましい。以下では、閾値Ｙｔ１は所定値Ｙｔ０より大きいとする。【００５９】
輝度分布に所定値Ｙｔ０以上の輝度がないと判断された場合、輝度分布に閾値Ｙｔ１以上の輝度がないと判断された場合、および、カラーホイール２が垂直同期信号と同期していると判断された場合、制御部６は、映像を表示すると判断する。【００６０】
また、輝度分布に所定値Ｙｔ０以上の輝度があると判断された場合、輝度分布に閾値Ｙｔ１以上の輝度があると判断された場合、制御部６は、映像を表示しないと判断する。【００６１】
例えば、輝度分布が図４で示した分布の場合、輝度の最大値が閾値より大きい。このため、カラーホイール２が垂直同期信号と同期していないと、回転周期が周期範囲に含まれると判断されても、回転周期が周期範囲に含まれないと判断されても、映像は表示されない。【００６２】
また、輝度分布が図５で示した分布の場合、輝度の最大値が所定値より大きくかつ閾値より小さい。このため、カラーホイール２が垂直同期信号と同期していなくても、回転周期が周期範囲に含まれると判断されると、映像が表示される。【００６３】
なお、図４および図５では、横軸は、輝度を示し、縦軸は、画素数である度数を示す。【００６４】
次に動作を説明する。【００６５】
図６は、本実施形態のプロジェクタ装置の動作を説明するためのフローチャートである。【００６６】
ステップＳ２０１では、入力信号処理部８に映像信号が入力される。なお、垂直同期信号は、その映像信号に含まれていてもよいし、映像信号とは別に入力信号処理部８に入力されてもよい。以下では、垂直同期信号は映像信号に含まれているものとする。【００６７】
入力信号処理部８は、その映像信号を解像度変換し、その解像度変換した映像信号を、映像信号の垂直同期信号と同期させて輝度分布検出部５および制御部６に入力する。【００６８】
輝度分布検出部５は、その映像信号の輝度分布を検出し、その輝度分布を制御部６に出力する。【００６９】
制御部６は、その入力された映像信号の垂直同期信号の周波数を検出する。その後、ステップＳ２０２が実行される。【００７０】
ステップＳ２０２では、制御部６は、その検出した周波数に応じたカラーホイール２の回転速度を求める。その求めた回転速度と同じ値の回転速度がカラーホイール制御部１２に設定されていれば、制御部６は処理を終了する。一方、その回転速度と異なる値の回転速度がカラーホイール制御部１２に設定されているか、回転速度がカラーホイール制御部１２に設定されていない場合、制御部６は、その求めた回転速度をカラーホイール制御部１２に設定するとともに、垂直同期信号をカラーホイール制御部１２に出力し、かつ、映像表示部７による映像の表示を停止する。カラーホイール制御部１２は、垂直同期信号を受け付けると、ステップＳ２０３を実行する。【００７１】
ステップＳ２０３では、カラーホイール制御部１２は、カラーホイールセンサ１１から回転位相を受け付け、その回転位相と、その設定された回転速度と、その受け付けた垂直同期信号とに基づいて、カラーホイール２が垂直同期信号と同期するのに適切な駆動信号を駆動部３に出力する。駆動部３は、その駆動信号を受け付けると、その駆動信号に応じてカラーホイール２を回転させる。【００７２】
また、カラーホイール制御部１２は、駆動信号を出力すると、ステップＳ２０４を実行する。【００７３】
ステップＳ２０４では、カラーホイール制御部１２は、その回転周期が、自身（カラーホイール制御部１２）に設定されている回転速度に応じて定められる周期範囲に含まれるか否かを判断する。回転周期が周期範囲に含まれると判断された場合、カラーホイール制御部１２は、その回転位相に基づいて、カラーホイール２が垂直同期信号と同期しているか否かを判断する。カラーホイール制御部１２は、これらの判断結果を制御部６に出力する。制御部６は、判断結果を受け付けると、ステップＳ２０５を実行する。【００７４】
ステップＳ２０５では、制御部６は、その判断結果を確認し、回転周期が周期範囲に含まれていると、ステップＳ２０６を実行し、回転周期が周期範囲に含まれていないと、ステップＳ２０８を実行する。【００７５】
ステップＳ２０６では、制御部６は、その判断結果を確認し、カラーホイール２が垂直同期信号と同期していると、ステップＳ２０７を実行し、カラーホイール２が垂直同期信号と同期していないと、ステップＳ２０９を実行する。【００７６】
ステップＳ２０７では、制御部６は、映像信号と表示指示とを表示パネル制御部２２に出力する。表示パネル制御部２２は、映像信号および表示指示を受け付けると、その映像信号に応じて表示パネル２１を制御して、表示パネル２１に映像信号に応じた映像を表示させて、処理を終了する。【００７７】
ステップＳ２０８では、制御部６は、輝度分布検出部５から輝度分布を受け付け、その輝度分布に所定値Ｙｔ０以上の輝度が含まれるか否かを判断する。【００７８】
制御部６は、輝度分布に所定値Ｙｔ０以上の輝度が含まれていると、ステップＳ２１０を実行し、輝度分布に所定値Ｙｔ０以上の輝度が含まれていないと、ステップＳ２０７を実行する。【００７９】
ステップＳ２０９では、制御部６は、その輝度分布に閾値Ｙｔ１以上の輝度が含まれるか否かを判断する。制御部６は、輝度分布に閾値Ｙｔ１以上の輝度が含まれていると、ステップＳ２１０を実行し、輝度分布に閾値Ｙｔ１以上の輝度が含まれていないと、ステップＳ２０７を実行する。【００８０】
ステップＳ２１０では、制御部６は、予め定められた一定時間だけ待機し、その後、カラーホイール２と垂直同期信号との同期を確認する旨をカラーホイール制御部１２に出力する。カラーホイール制御部１２は、その旨を受け付けると、ステップＳ２０４を実行する。【００８１】
次に効果を説明する。【００８２】
本実施形態では、制御部６は、カラーホイール管理部４にてカラーホイール２が垂直同期信号と同期していないと判断された場合、輝度分布に閾値Ｙｔ１以上の輝度があるか否かを判断する。その輝度分布に閾値Ｙｔ１以上の輝度がないと、制御部６は、映像を表示すると判断する。【００８３】
この場合、カラーホイール２が垂直同期信号と同期していない場合、閾値Ｙｔ１以上の輝度がないと、映像が表示される。このため、映像が乱れていることがユーザに認識されない場合、映像を迅速に表示することが可能になる。【００８４】
また、本実施形態では、カラーホイール管理部４は、カラーホイール２の回転周期を求め、その回転周期が垂直同期信号に応じて定められる周期範囲に含まれるか否かを判断する。また、回転周期が周期範囲に含まれると、カラーホイール管理部４は、カラーホイール２が垂直同期信号と同期しているか否かを判断する。制御部６は、カラーホイール管理部４にて回転周期が周期範囲に含まれないと判断された場合、輝度分布に所定値Ｙｔ０以上の輝度があるか否かを判断する。輝度分布に所定値Ｙｔ０以上の輝度がないと、制御部６は、映像を表示すると判断する。【００８５】
この場合、回転周期が垂直同期信号に応じて定められる周期範囲に含まれる場合、カラーホイール２が垂直同期信号と同期しているか否かが判断される。また、回転周期が垂直同期信号に応じて定められる周期範囲に含まれない場合、所定値Ｙｔ０以上の輝度がないと、映像が表示される。なお、カラーホイール２が垂直同期信号と同期するためには、少なくとも回転周期が垂直同期信号に応じて定められる周期範囲に含まれる必要がある。【００８６】
このため、カラーホイール２が垂直同期信号と同期していないことをより早く検出することが可能になるので、映像をより迅速に表示することが可能になる。【００８７】
また、本実施形態では、閾値Ｙｔ１は、所定値Ｙｔ０より大きい。なお、カラーホイールが垂直同期信号と同期していない場合、回転周期がその周期範囲に含まれないときの映像の乱れは、回転周期がその周期範囲に含まれる場合ときの映像の乱れ比べて大きくなる。【００８８】
このため、映像の乱れが大きいときには、より暗い映像だけを表示することが可能になる。したがって、映像の乱れをユーザに認識されることを軽減することが可能になる。【００８９】
以上説明した各実施形態において、図示した構成は単なる一例であって、本発明はその構成に限定されるものではない。
【図１】
2010084605.tif 000003
【図２】
2010084605.tif 000004
【図３】
2010084605.tif 000005
【図４】
2010084605.tif 000006
【図５】
2010084605.tif 000007
【図６】
2010084605.tif 000008
【国際調査報告】
2010084605.tif 000009
2010084605.tif 000010
2010084605.tif 000011
2010084605.tif 000012